(57)【要約】【課題】貯蔵タンク周辺におけるヒートアイランド現象を抑制するとともに、天候に関係なく貯蔵タンクにおける火災発生を確実に防止すること。【解決手段】貯蔵タンク１は、底部３１と側壁３２とを有するタンク本体３と、浮屋根５と、を有している。タンク本体３は、上面側が開放しており、内側に液体２を貯蔵することができるように構成されている。浮屋根５は、タンク本体内に貯蔵された液体上に浮上するポンツーン５２を備えている。この浮屋根の上面側の少なくとも一部には、植生層１３を有する植生マット１１が敷設されている。好ましくは、タンク本体３の側壁３２にも植生マット１１が設けられている。このような構成によれば、貯蔵タンク１及びその周辺におけるヒートアイランド現象を効果的に抑制することが可能になる。また、強風が吹いている場合であっても、泡状の消化剤を確実にタンク上部の表面（浮屋根の表面）に長時間に渡って定着させることができる。【選択図】図１
2005162265.tif 000002
【特許請求の範囲】
【請求項１】
底部と側壁とを備えるタンク本体と、
屋根と、を有しており、
前記屋根の上面側の少なくとも一部には、植生層を有する植生マットが敷設されていることを特徴とする貯蔵タンク。
【請求項２】
前記貯蔵タンクは、浮屋根式の貯蔵タンクであり、
前記タンク本体は、上面側が開放しており、内側に液体を貯蔵することができるように構成されており、
前記屋根は、前記タンク本体内に貯蔵された液体上に浮上するポンツーンを備えた浮屋根であることを特徴とする請求項１記載の貯蔵タンク。
【請求項３】
前記タンク本体の側壁は、外側に、植生層を有する植生マットを備えていることを特徴とする請求項１又は２記載の貯蔵タンク。
【請求項４】
前記貯蔵タンクは、地上式または地中式の貯蔵タンクであることを特徴とする請求項１乃至３の何れかに記載の貯蔵タンク。
【発明の詳細な説明】
【技術分野】
【０００１】
本発明は、原油、ガソリン、ナフサ等の液体を貯蔵するための貯蔵タンクに関する。
【背景技術】
【０００２】
上記技術分野に属する本発明は、下記第１および第２の背景に鑑みて提供される。
【０００３】
［第１の背景］
周知の如く、資源の生産国でない我が国にあっては、はとんどの資源を外国からの輸入に依存しているのが現状である。特に、石油等の化石燃料については、近年の大量生産・大量消費の拡大に伴って、輸入量が増加の一途を辿っている。このように輸入された化石燃料は、一般的には、貯蔵タンクに貯蔵される。また、このような貯蔵タンクは、輸入された大量の燃料を一時的に備蓄するための燃料備蓄基地（石油コンビナート等）において数多く建設されている。
【０００４】
しかしながら、上述した燃料備蓄基地等においては、ほとんど緑地のない土地に、多くの貯蔵タンクが密集した状態で並んで建設されている。また、貯蔵タンクのみならず、たとえば輸入された原油を精製するための精製設備が、貯蔵タンク群に隣接して建設されている。そのため、燃料備蓄基地および基地周辺においては、地表面被覆の人工化（貯蔵タンクやアスファルト舗装面などの増加）や、エネルギー消費に伴う人工排熱（基地における生産活動に伴う排熱、自動車の走行など）の増加により、ヒートアイランド現象が促進しつつある。
【０００５】
そのため、所謂都市部のみならず、多数の貯蔵タンクを有する燃料備蓄基地等においても、ヒートアイランド現象を抑制するための対策が強く望まれている。
【０００６】
［第２の背景］
周知の如く、液体や気体を貯蔵しておくための貯蔵タンクとしては、近年においては様々なタイプの貯蔵タンクが提案されている。このような貯蔵タンクの一種に、下記特許文献１に開示されているような浮屋根式貯蔵タンク（フローティング・ルーフ・タンク）と称されるタンクがある。図３に、一例として、直径約１００ｍ，液深約５０ｍの従来の浮屋根式貯蔵タンクの断面図を示す。
【特許文献１】特開昭６２−７８０８８号公報
【０００７】
図３に示すように、浮屋根式貯蔵タンク１００は、底部３１およびその底部３１から上方に円筒形に配置された側壁３２からなる上面開放のタンク本体３と、当該タンク本体内に貯蔵された液体２上に浮上する浮屋根５とを備えている。浮屋根５の外周部には、浮力を形成するポンツーン５２が配置されている。ポンツーン５２とタンク本体３の側壁３２との間にはシール部材７およびウエザーシール９が設けられている。
【０００８】
上述した構成を有する浮屋根式貯蔵タンクは、固定式の屋根の貯蔵タンクと比較して、貯蔵油の蒸発損失を少なくし、蒸気相をなくして安全性を保つという特長を有している。そのため、原油、ガソリン、ナフサ等の揮発性石油類の貯蔵に好んで用いられる。
【０００９】
しかしながら、上述した従来の浮屋根式貯蔵タンクには、火災に対する安全面において、以下のような問題点がある。
【００１０】
たとえば、地震が発生した場合には、液面にスロッシング（振動によって引き起こされる液面揺動現象）が生じて、貯蔵してある液体がタンクから溢流することがある。そして、揮発性の高い液体燃料であるナフサを貯蔵する浮屋根式貯蔵タンクにおいて、浮屋根周辺からナフサが漏れ出した場合、火災を防止する方法としては、現時点においては下記の２つの方法しかないと考えられている。
（１）  タンクからナフサを完全に抜き取る。
（２）  泡状の消化剤で、タンク上部の表面を覆って外気と遮断する。
【００１１】
ここで、たとえば浮屋根式タンクに膨大な量のナフサが貯蔵されている場合には、ナフサの完全な抜き取りには、膨大な時間がかかる。また、ナフサは、常温でも揮発するので、抜き取り時の静電気だけで火がつく可能性がある。したがって、緊急に火災を防止する必要がある場合には、上記（２）で述べた泡状の消化剤を用いる必要がある。
【００１２】
ところが、消化剤をタンク上部に吹き付ける際に強風が吹いている場合には、浮屋根の表面が平坦（更地状）に形成されているため、吹き付けられた泡状消化剤のほとんどは、容易に風で吹き飛んでしまう。そのため、強風が吹いている場合には、タンク上部（浮屋根の表面）を泡状の消化剤で覆うことができない。一方で、ナフサは、揮発性が高いため、一端タンク内のナフサに火が着くと、タンク内のナフサが燃え尽きて鎮火するのを待つしかない。
【００１３】
そのため、強風が吹いている場合であっても、浮屋根式タンクの上部の表面に、確実に泡状の消化剤を吹き付け，定着させることを可能にする手段の提供が強く望まれている。
【発明の開示】
【発明が解決しようとする課題】
【００１４】
そこで、上記第１および第２の背景に鑑み、本発明の目的は、貯蔵タンク群が設けられた土地の周辺におけるヒートアイランド現象を効果的に抑制するとともに、天候に関係なく貯蔵タンクにおける火災発生を確実に防止することを可能にする貯蔵タンクを提供することにある。
【課題を解決するための手段】
【００１５】
（１）  上記目的を達成するために、本発明の貯蔵タンクは、
底部と側壁とを備えるタンク本体と、
屋根と、を有しており、
前記屋根の上面側の少なくとも一部には、植生層を有する植生マットが敷設されている。
【００１６】
（２）  上記（１）記載の貯蔵タンクにおいて、好ましくは、
前記貯蔵タンクは、浮屋根式の貯蔵タンクであり、
前記タンク本体は、上面側が開放しており、内側に液体を貯蔵することができるように構成されており、
前記屋根は、前記タンク本体内に貯蔵された液体上に浮上するポンツーンを備えた浮屋根である。
【００１７】
（３）  上記（１）又は（２）記載の貯蔵タンクにおいて、好ましくは、前記タンク本体の側壁は、外側に、植生層を有する植生マットを備えている。
【００１８】
（４）  上記（１）乃至（３）の何れかに記載の貯蔵タンクにおいて、好ましくは、前記貯蔵タンクは、地上式または地中式の貯蔵タンクである。
【発明の効果】
【００１９】
上述した本発明によれば、貯蔵タンクの屋根の上面側の少なくとも一部（好ましくは屋根および側壁）には、芝生等から成る植生層を有する植生マットが敷設されている。このような植生マットは遮熱機能（日射の遮断作用や蒸発散作用等を含む）を有するので、貯蔵タンク及びその周辺において、冷涼な空気のかたまり（クールアイランド）が形成される。その結果、貯蔵タンク及びその周辺におけるヒートアイランド現象を効果的に抑制することが可能になる。
【００２０】
また、広大な面積を有する貯蔵タンクの屋根に、芝等が育成された植生マットを設けることにより、当該屋根を、たとえばスポーツ施設（ゴルフ練習場、テニスコート、サッカー場、野球場等）として有効利用することができる。このような施設は、貯蔵タンクに関連した職員の厚生施設としても有効利用することができる。なお、一般的な貯蔵タンクは十分な強度を有しているので、貯蔵タンクの屋根をスポーツ施設の用地として利用することに、安全上の問題がないことはいうまでもない。
【００２１】
また、植生マットの植生層による炭酸同化作用により、二酸化炭素の吸収と酸素の放出が活発的に行われ、貯蔵タンクの管理者および周辺住民の保健衛生にも十分に寄与することとなる。
【００２２】
また、不測の事態によって、屋根に敷設された植生マットの植生が部分的に損傷することがあっても、養生畑において採取された新たな植生マットと適宜交換することにより、簡単に補修することができる。
【００２３】
また、上述した植生マットを、浮屋根式貯蔵タンクの屋根に敷設した場合には、以下に述べる優れた効果が達成される。
たとえば、地震が発生して、貯蔵タンク内の液面にスロッシング（液面揺動現象）が生じた場合には、貯蔵してある液体がタンクから溢流することがある。そして、たとえば、揮発性の高い液体燃料であるナフサを貯蔵する浮屋根式貯蔵タンクにおいて、浮屋根周辺からナフサが漏れ出した場合には、泡状の消化剤で、タンク上部の表面（屋根の表面）を覆って、ナフサを外気から遮断する必要がある。
このような場合において、泡状の消化剤を浮屋根に向けて噴射した際には、吹き付けられた泡が、植生マットから所定高さに育成された植生に絡み付くようになっている。その結果、仮に、消化剤を吹き付ける際に風が吹き荒れている場合であっても、泡状消化剤が風で吹き飛ばされることなく、当該消化剤でタンク上部の表面を覆うことができる。
したがって、本発明の貯蔵タンクによれば、強風が吹いている場合であっても  消化剤を確実にタンク上部の表面（浮屋根の表面）に長時間に渡って定着させることができる。その結果、天候に関係なく、貯蔵タンクにおける火災を防止することが可能になる。
【発明を実施するための最良の形態】
【００２４】
以下、貯蔵タンクの一例として浮屋根式の貯蔵タンク（フローティング・ルーフ・タンク）を挙げ、図１に基づいて本発明の貯蔵タンクの実施形態について説明する。図１は、本発明の貯蔵タンク１を示す断面図である。
【００２５】
貯蔵タンク１は、浮屋根式の貯蔵タンクとして構成されている。この浮屋根式の貯蔵タンク１は、概略、内側に液体（たとえば原油、ガソリン、ナフサ等）２を貯蔵することが可能なタンク本体３と；このタンク本体３内に貯蔵された液体２上に浮上する浮屋根５と；浮屋根５の外周部とタンク本体３の内壁との間を密封するためのゴム製シール部材７と；当該シール部材にかかる雨水がタンク本体３内部に浸入するのを防止するためのウエザーシール９と；を有している。
【００２６】
タンク本体３は、円盤状の底部３１と、当該底部から上方に向かって円筒形に配置された側壁３２とを有しており、上面側が開放（開口）している。
【００２７】
浮屋根５は、下面側が液体２の液面を臨むように液体２上に載置されており、貯蔵された液体２の量に応じて、タンク本体３の内側で上下に移動するようになっている。この浮屋根５は、略円盤状のデッキ板５１と、当該デッキ板の外周に連結された環状のポンツーン（浮力を形成するための浮箱）５２と、を有している。浮屋根５が液体２上に載置された状態においては、ポンツーン５２が液体２上に浮上し、その結果、浮屋根５の全体が安定して液体２上に浮かぶようになっている。
【００２８】
また、浮屋根５の上面側には、養生畑において作製，採取されたタイプの植生マット１１が敷設されている。この植生マット１１は、密植状態で所定高さに育成された植物（たとえば芝生等）から成る植生層１３を有しているとともに、肥料，人工土壌，保水材等を内包している。
【００２９】
上述した植生マット１１を敷設する際には、必要に応じて、複数のアンカー等を用いて、当該植生マットを浮屋根５に対して固定してもよい。また、敷設された植生マット１１の表面には、必要に応じて、石灰等を用いて競技場（テニスコート、サッカー場、野球場）等のフィールドを形成するためのラインを引いてもよい。
【００３０】
なお、本実施形態で挙げる植生マットは一例であって、本発明においては、あらゆるタイプの植生マットを用いることが可能であることに留意されたい。また、植生層１３を構成すべき植物は芝生に限定されず、植生マットにおいてあらゆる植物を育成することが可能であることに留意されたい。
【００３１】
本発明においては、ヒートアイランド現象を更に抑制する観点から、図２に示すように、浮屋根５だけでなくタンク本体３の側壁３２にも植生マット１１を設けることが好ましい。さらに、貯蔵タンク１の周辺の地盤４にも植生マット１１を敷設することが好ましい。なお、タンク本体３の側壁３２に植生マット１１を設ける場合には、たとえば、外壁３２の外側に沿って上端から下方にかけて垂下させたメッシュ体に芝生を絡ませた植生マットを利用することも可能である。
【００３２】
上述した本発明の浮屋根式の貯蔵タンクによれば、以下に述べる優れた効果が達成される。
【００３３】
まず、本発明によれば、貯蔵タンク１の浮屋根５の上面側（好ましくは浮屋根５および側壁３２）には、芝生等から成る植生層１３を有する植生マット１１が敷設されている。このような植生マット１１は遮熱機能（日射の遮断作用や蒸発散作用等を含む）を有するので、貯蔵タンク１及びその周辺において、冷涼な空気のかたまり（クールアイランド）が形成される。その結果、貯蔵タンク１及びその周辺におけるヒートアイランド現象を効果的に抑制することが可能になる。
【００３４】
また、広大な面積を有する貯蔵タンク１の浮屋根５に、芝等が育成された植生マット１１を設けることにより、当該屋根を、たとえばスポーツ施設（ゴルフ練習場、テニスコート、サッカー場、野球場等）として有効利用することができる。このような施設は、貯蔵タンク１に関連した職員の厚生施設としても有効利用することができる。なお、一般的な貯蔵タンクは十分な強度を有しているので、貯蔵タンク１の浮屋根５をスポーツ施設の用地として利用することに、安全上の問題がないことはいうまでもない。
【００３５】
また、植生マット１の植生層１３による炭酸同化作用により、二酸化炭素の吸収と酸素の放出が活発的に行われ、貯蔵タンク１の管理者および周辺住民の保健衛生にも十分に寄与することとなる。
【００３６】
また、不測の事態によって、浮屋根５に敷設された植生マット１１の植生が部分的に損傷することがあっても、養生畑において採取された新たな植生マットと適宜交換することにより、簡単に補修することができる。
【００３７】
また、上述した植生マット１１を、図１及び図２に示すような浮屋根式貯蔵タンクの屋根に敷設した場合には、以下に述べる優れた効果が達成される。
たとえば、地震が発生して、貯蔵タンク１内の液面にスロッシング（液面揺動現象）が生じた場合には、貯蔵してある液体２がタンクから溢流することがある。そして、たとえば、揮発性の高い液体燃料であるナフサを貯蔵する浮屋根式貯蔵タンクにおいて、浮屋根５の周辺からナフサが漏れ出した場合には、泡状の消化剤で、タンク上部の表面（浮屋根５の表面）を覆って、ナフサを外気から遮断する必要がある。
このような場合において、泡状の消化剤を浮屋根５に向けて噴射した際には、吹き付けられた泡が、植生マット１１から所定高さに育成された植生に絡み付くようになっている。その結果、仮に、消化剤を吹き付ける際に風が吹き荒れている場合であっても、泡状消化剤が風で吹き飛ばされることなく、タンク上部の表面を覆うことができる。
したがって、本発明の貯蔵タンクによれば、強風が吹いている場合であっても、消化剤を確実にタンク上部の表面（浮屋根５の表面）に長時間に渡って定着させることができる。その結果、天候に関係なく、貯蔵タンク１における火災を防止することが可能になる。
【００３８】
以上、本発明の貯蔵タンクの構成および効果について詳細に説明した。なお、本発明の貯蔵タンクの構成は、上述した実施形態の構成に限定されるものではなく、特許請求の範囲に記載された発明の範囲内で種々の改変が可能であることに留意されたい。
【００３９】
たとえば、本発明の貯蔵タンクは、必ずしも、図１及び図２に示すような所謂地上式タイプの貯蔵タンクに限定されず、所謂地中式の貯蔵タンクであってもよい。また、本発明の貯蔵タンクは、必ずしも、浮屋根式の貯蔵タンクに限定されず、タンク本体に屋根が固定されたタイプの貯蔵タンクであってもよい。
【産業上の利用可能性】
【００４０】
本発明は、貯蔵タンク群が設けられた土地の周辺におけるヒートアイランド現象を効果的に抑制するとともに、天候に関係なく貯蔵タンクにおける火災発生を確実に防止することを可能にする貯蔵タンクを提供するのに好適に用いられる。
【図面の簡単な説明】
【００４１】
【図１】本発明の貯蔵タンク（フローティング・ルーフ・タンク）を示す断面図である
【図２】本発明の貯蔵タンクの他の実施形態を示す断面図である。
【図３】従来の貯蔵タンクを示す断面図である。
【符号の説明】
【００４２】
１              浮屋根式の貯蔵タンク
２              液体
３              タンク本体
３１            底部
３２            側壁
４              地盤
５              浮屋根
５１            デッキ板
５２            ポンツーン
７              シール部材
９              ウエザーシール
１１            植生マット
１３            植生層
１００          従来の浮屋根式の貯蔵タンク
【図１】
2005162265.tif 000003
【図２】
2005162265.tif 000004
【図３】
2005162265.tif 000005